(57)【特許請求の範囲】
【請求項１】
単一の背部材に着脱自在に設けられるとともに、相互に隣接して配置される複数の綴じ具を備えたファイル用具において、
前記綴じ具は、前記背部材の面に沿うベース部と、このベース部の幅方向両側に開閉可能に設けられた第１及び第２の綴じ板と、第１の綴じ板の内面側から第２の綴じ板側に延びる綴じ軸と、この綴じ軸の先端部に引っ掛かって前記各綴じ板を閉塞位置に保つ操作部とを含み、
前記操作部は、前記第２の綴じ板の面内でスライド移動可能に装着されるとともに、当該第２の綴じ板の外面と同一若しくは当該外面より落ち込んだ位置に設けられていることを特徴とするファイル用具。
【請求項２】
前記第２の綴じ板の外面には凹状の段落ち領域が設けられ、この段落ち領域内に操作部が配置されることを特徴とする請求項１記載のファイル用具。
【請求項３】
前記操作部の外面には表面凹凸となる指当て面部が設けられ、この指当て面部の凸部先端は前記第２の綴じ板の外面よりはみ出さない高さに設けられていることを特徴とする請求項１又は２記載のファイル用具。
【請求項４】
前記背部材には、当該背部材の内面から突出する複数の鈎状部が設けられている一方、前記ベース部には、前記鈎状部を貫通して引っ掛かり可能な穴が設けられ、この穴は、ベース部の略中央部と当該ベース部の片側に設けられていることを特徴とする請求項１，２又は３記載のファイル用具。
【発明の詳細な説明】
【０００１】
【発明の属する技術分野】
本発明はファイル用具に係り、更に詳しくは、複数個の綴じ具を背部材に並べて装着した際に、綴じ具相互間に無駄なスペースを形成することのないファイル用具に関する。
【０００２】
【従来の技術】
従来より、個々に独立した綴じ具を単一の背部材に複数個装着可能としたファイル用具が知られている。このファイル用具は、所定の表紙体内面に固定される板状をなす背部材に複数列の溝を設けておき、各溝に綴じ具をスライド操作で装着することにより、綴じ具毎に独立した書類の加除整理が可能に設けられている。また、綴じ具は、ベース部の両側に開閉可能に設けられた一対の綴じ板と、これら綴じ板間に延びる二本の綴じ軸と、これら綴じ軸の先端に引っ掛かって綴じ板の閉塞姿勢を保持する操作部とを備え、操作部を所定操作することにより綴じ板を開閉可能な構成が採用されている。
【０００３】
【発明が解決しようとする課題】
しかしながら、このようなファイル用具にあっては、前記操作部が綴じ板の外面より突出した構成となる場合が多い。そのため、綴じ具を背部材に並べて装着するには、前記突出量に対応したスペースを設けなければ綴じ具が相互に干渉してしまうことになり、スペース的な無駄が生ずる不都合がある。この一方、前記スペースが少ないと、背部材に複数の綴じ具を装着した状態でファイル用具を持ち運ぶときに、隣接する綴じ具同士が擦れ合い、操作部及び綴じ板が損傷してしまうという不都合を生じる。
【０００４】
ところで、前記綴じ板の閉塞姿勢を保持する構造としては、操作部を設けることなく綴じ板の綴じ軸に対応する位置に穴を設け、この穴に嵌合するように綴じ軸の先端を形成したものも存在する。
【０００５】
しかしながら、前記保持構造にあっては、書類の脱落を防止するため、前記嵌合が固い状態となる傾向が強い。これにより、綴じ板の開閉操作を行うときに、強い外力を付与して各綴じ板を開放しなければならず、当該開閉操作が極めて煩雑且つ困難となる。
【０００６】
【発明の目的】
本発明は、このような不都合に着目して案出されたものであり、その目的は、複数の綴じ具を相互に隣接して配置したときに、無駄なスペースを設けることなく綴じ具相互の干渉を無くして綴じ板及び操作部の損傷を防止することができ、且つ、綴じ板の開閉操作も容易且つスムースに行うことができるファイル用具を提供することにある。
【０００７】
【課題を解決するための手段】
前記目的を達成するため、本発明は、単一の背部材に着脱自在に設けられるとともに、相互に隣接して配置される複数の綴じ具を備えたファイル用具において、
前記綴じ具は、前記背部材の面に沿うベース部と、このベース部の幅方向両側に開閉可能に設けられた第１及び第２の綴じ板と、第１の綴じ板の内面側から第２の綴じ板側に延びる綴じ軸と、この綴じ軸の先端部に引っ掛かって前記各綴じ板を閉塞位置に保つ操作部とを含み、
前記操作部は、前記第２の綴じ板の面内でスライド移動可能に装着されるとともに、当該第２の綴じ板の外面と同一若しくは当該外面より落ち込んだ位置に設けられる、という構成を採っている。このような構成によれば、操作部が綴じ板の外面よりはみ出さない位置に設けられているため、複数の綴じ具を単一の背部材に並べて装着する際に、綴じ具相互間に無用なスペースを設けなくてもよくなり、また、綴じ板及び操作部が相互に擦れて傷付いてしまう虞を有効に回避することが可能となる。
【０００８】
【発明の実施の形態】
本発明における第２の綴じ板の外面には凹状の段落ち領域が設けられ、この段落ち領域内に操作部が配置される、という構成も採用されている。このような構成を採れば、簡易な構造により操作部を第２の綴じ板に装着することができ、且つ、操作部の移動ストロークを自動的に決定して損壊の虞も回避することができる。
【０００９】
また、前記操作部の外面には表面凹凸となる指当て面部が設けられ、この指当て面部の凸部先端は前記第２の綴じ板の外面よりはみ出さない高さに設けられる、という構成を採用するとよく、これにより、綴じ板の損傷を確実に防止することができるばかりでなく、操作部の操作性を向上して綴じ板の開放及びその規制をスムースに行うことが可能となる。
【００１０】
更に、背部材には、当該背部材の内面から突出する複数の鈎状部が設けられている一方、前記ベース部には、前記鈎状部を貫通して引っ掛かり可能な穴が設けられ、この穴は、ベース部の略中央部と当該ベース部の片側に設けられる、という構成を併せて採用してもよい。このような構成では、背部材に綴じ具を装着する向きを常に同じ向き、すなわち、上下方向が逆向きとならないように装着することができる。
【００１１】
なお、本明細書において、特に明示しない限り、「上」、「上部」若しくは「上端」とは、ファイル用具を縦置き姿勢としたときの上方側について用いられる一方、「下」、「下部」若しくは「下部」とは、同姿勢としたときの下方側について用いられる。
【００１２】
【実施例】
以下、本発明の実施例を図面を参照しながら説明する。
【００１３】
図１には、実施例に係るファイル用具の内側要部概略斜視図が示され、図２には、前記ファイル用具の概略分解斜視図が示されている。これらの図において、ファイル用具１０は、これを起立姿勢したときの上下方向に沿って延びるとともに、短寸幅方向両側に表表紙１２及び裏表紙１３が取り付け可能に設けられた背部材１１と、背部材１１の内面側に装着される綴じ具１５と、背部材１１の上端側（図１中長手方向左端側）に回転可能に支持されたストッパ１６とを備えて構成されている。なお、図示の状態では、綴じ具１５が一個示されているが、本実施例では、同一の構造を備えた三個の綴じ具１５が着脱自在に配置されるようになっている（図４参照）。
【００１４】
前記背部材１１は、特に限定されるものでないが、本実施例では、適宜な樹脂材を用いた一体成形品により構成されている。この背部材１１は、図２ないし図４に示されるように、略長方形状の板状をなす背面部１８と、この背面部１８の短寸幅方向両側に設けられた一対の側面部１９と、これら側面部１９及び背面部１８の下端すなわち図２中右端に連なって設けられた下面部２０とを備えて構成され、前述したストッパ１６と併せて綴じ具１５の底側をすっぽり収めることができる箱状になっている。各側面部１９の図３中上端側には、薄肉部２２を介して片状の表紙保持体２３，２３がそれぞれ屈曲可能に連なっており、これら表紙保持体２３，２３の内面（図２中上面）には、表表紙１２及び裏表紙１３に設けられた穴１２Ａ，１３Ａを挿入可能な突起２４が複数個設けられている。これにより、各穴１２Ａ，１３Ａに突起２４をそれぞれ挿入した後、各突起２４の先端を押し潰すことにより表表紙１２及び裏表紙１３が固定されるようになっている。
【００１５】
前記背面部１８の内面側には、当該内面領域を短寸方向に略三等分する位置に二つの仕切り壁２６が設けられ、これら仕切り壁２６及び各側面部１９により、綴じ具１５の底側を収容可能な三列に亘る収納スペースＳを形成するようになっている。各収納スペースＳの上下両側及び中央部には、図５及び図６に示されるように、背面部１８の内面から突出する上側鈎状部２７、下側鈎状部２８及び中央鈎状部２９がそれぞれ設けられている。また、背面部１８の面内であって中央鈎状部２９及び下側鈎状部２８との間には、図２にも示されるように、直線状に延びる突条部３１がそれぞれ設けられている。これら突条部３１の略中間位置には、図２及び図７に示されるように、背面部１８を貫通する平面視略円形の窓部３２が設けられ、これにより、綴じ具１５の装着の有無を外側から視認可能となっている。なお、背面部１８の外面側には、平面視略長方形をなすように僅かに凹んだ領域を設けることによって図示しない適宜な見出し片を装着可能な見出し表示部３３が形成されている。
【００１６】
前記綴じ具１５は、図３ないし図６及び図８に示されるように、背部材１１の内面側に接して当該背部材１１の上下方向に延びる細長い片状のベース部３５と、このベース部３５の短寸幅方向両端側から起立する方向に向けられた開閉動作可能な第１及び第２の綴じ板３６，３７と、第１の綴じ板３６の二箇所内面部分に連なって第２の綴じ板３７側に延びる二本の綴じ軸３８と、これら綴じ軸３８の先端部に引っ掛かって各綴じ板３６，３７を閉塞位置に保つ操作部３９と、ベース部３５と第１の綴じ板３６との間に設けられた角度規制手段４０とを備えて構成されている。ベース部３５の面内には、前記上側鈎状部２７及び中央鈎状部２９が貫通する穴４１が二箇所に形成され、これにより、綴じ具１５を図５に示される位置にセットしたときに、各穴４１に上側鈎状部２７及び中央鈎状部２９がそれぞれ引っ掛かるとともに、下側鈎状部２８にベース部３５の下端（図５中右端）が引っ掛かるようになっている。
【００１７】
前記第２の綴じ板３７には、図３、図４及び図８に示されるように、各綴じ軸３８に対応する位置に開放部４３がそれぞれ設けられている一方、第２の綴じ板３７の外面側には、前記操作部３９を収容可能な凹状の段落ち領域４５が形成されている。操作部３９は、一部が各開放部４３内に位置するように部分的に陥没させた穴形成部４７を備えており、この穴形成部４７が開放部４３の爪状部４３Ａに引っ掛かることにより操作部３９が段落ち領域４５内に装着されるとともに、第２の綴じ板３７の面内で上下方向（図３中紙面直交方向）へのスライド移動を許容するようになっている。前記穴形成部４７には、綴じ軸３８の直径より若干大きな円形穴部４８と、この円形穴部４８に連なって形成されるとともに、綴じ軸３８に形成された切欠３８Ａに引っ掛け可能な幅に設けられたスリット穴部４９が形成され、これにより、操作部３９を適宜スライドさせることにより、前記各綴じ板３６，３７の開閉動作の規制及びその解除を行えるようになっている。また、操作部３９の外面中央領域には、表面凹凸となる指当て面部５０が設けられており、この指当て面部５０の凸部先端は第２の綴じ板３７の外面よりはみ出さない高さに形成されている。なお、綴じ軸３８の先端及び操作部３９も、第２の綴じ板３７の外面よりはみ出さない位置、すなわち、当該外面と同一若しくは落ち込んだ位置に設けられており、これにより、綴じ具１５を並べて配置してもそれぞれ干渉することがないようになっている（図４参照）。
【００１８】
前記角度規制手段４０は、ベース部３５の内面に設けられた起立片５１と、この起立片５１の先端上に位置するとともに、第１の綴じ板３６に連なって第２の綴じ板３７の内面側に延びる水平片５２とにより構成されている。起立片５１は、側面視略台形状に形成されるとともに、ベース部３５の長手方向に沿う二箇所に設けられている。この一方、水平片５２は、第１の綴じ板３６の長手方向に沿って延びる形状に設けられ、これにより、綴じ具１５を図３に示される装着位置にセットしたときに、ベース部３５と各綴じ板３６，３７とによりなす角度を略直角に保つことができるようになっている。
【００１９】
前記ストッパ１６は、図５及び図９に示されるように、背面部１８の上端側に設けられて当該上端に沿って延びるヒンジ部５３と、このヒンジ部５３の図５中上部側に連なって起立する起立面部５４と、この起立面部５４の上端縁に連なって下方すなわち綴じ具１５側に向かって延びる水平面部５６と、この水平面部５６と背面部１８との間に設けられた回転規制手段５７とを備えて構成されている。ストッパ１６は、図５中矢印Ｒ１及び矢印Ｒ２方向に回転可能に設けられ、これにより、水平面部５６の内面側が背面部１８の内面に対して接近及び離間可能となっている。
【００２０】
前記回転規制手段５７は、図９ないし図１２に示されるように、前記起立面部５４及び水平面部５６の外面に沿って配置されてアングル状に形成されるとともに、ストッパ１６の回転中心軸と略平行（図１０中左右方向）にスライド移動可能に設けられたスライド部材５８と、このスライド部材５８の内面に連なるとともに、水平面部５６の各長穴５６Ａを貫通し、背面部１８の内面に向かって延びる先端鈎状の一対の第１のロック部６０と、背面部１８の内面から突出するとともに第１のロック部６０の凹部６０Ａ内に受容されて相互に噛み合い可能な先端鈎状の第２のロック部６１と、スライド部材５８と水平面部５６との間に設けられたスライド規制手段６２と、各第１のロック部６１に連なって水平面部５６の内面に接する位置に設けられた抜け止め防止部６３（図１２参照）とを備えて構成されている。
【００２１】
前記スライド規制手段６２は、水平面部５６の外面であって長穴５６Ａの図１０中左右両側から僅かに突出する一対の凸部６５と、スライド部材５８の内面において第１のロック部６０の基部隣接位置に設けられるととともに、各凸部６５を受容可能な大きさにそれぞれ形成された凹状の受容部６６とにより構成されている。これにより、図１０及び図１１に示された位置でスライド部材５８のスライド移動を規制することができ、且つ、意図的な外力を付与することにより、前記スライド移動を許容するようになっている。また、スライド部材５８の外面コーナー領域には、凹凸面により形成された指当て部６８が設けられ、この指当て部６８は、略直交する二方向に向けられ、すなわち、ファイル用具１０を縦置き姿勢及び平置き姿勢の何れでも上向きの面が表われるように設けられている。
【００２２】
なお、図５に示されるように、前記背部材１１の一端部すなわち下面部２０の高さｈ１及びストッパ１６の起立面部５４の高さｈ２は、綴じ板３６，３７の端部最大高さｈ３の約１／２以下に収まる高さに設定され、少なくとも綴じ込まれた書類Ｐの綴じ込み側端縁Ｐ１の位置に対応する高さ位置ｈ４より低くくなるように設定されている。これにより、綴じ板３６，３７の上下幅より大きい書類をその上下部分を折り込んで綴じ込んだ場合、背部材１１に綴じ具１５を装着した状態で、前記折り込み部分を下面部２０及び起立面部５４に干渉することなく広げることが可能となる。
【００２３】
次に、背部材１１への綴じ具１５の着脱方法並びに綴じ具１５における書類Ｐの綴じ込み方法について説明する。
【００２４】
前記綴じ具１５の装着方法は、図５及び図６に示されるように、各穴４１及びベース部３５の下端に上側鈎状部２７、下側鈎状部２８及び中央鈎状部２９を引っ掛けるように差し込む。この際、穴４１をベース部３５の中央部と上端側の二箇所に設けたから、操作部３９を図４中左側にして装着しようとすると上側鈎状部２７が邪魔になるため、書類Ｐ及び綴じ具１５が上下逆向きとなることはない。この状態を保ったまま、水平面部５６が背面部１８に接近する方向すなわち図５中矢印Ｒ２方向にストッパ１６を回転させる。そして、図９に示されるように、スライド部材５８を強制的にスライドして各ロック部６０，６１を噛み合い状態とすることにより、前記回転を規制し、且つ、綴じ具１５の取り外し方向すなわち図５中左方向の移動を規制して当該綴じ具１５の装着状態を維持することとなる。
【００２５】
この一方、綴じ具１５を取り外す場合には、前述した装着方法と逆の操作を行えばよい。この際、ストッパ１６は、図１３に示される位置まで回転させればよいが、図１２に示される位置まで回転させた場合にも何ら支障はない。
【００２６】
また、綴じ具１５に書類Ｐを綴じ込むときは、各綴じ板３６，３７を略平行となるようにし、操作部３９を上方向（図２中左方向）にスライドさせることで、綴じ軸３８の切欠部３８Ａをスリット穴部４９に引っ掛けてロックでき、これによって、書類を綴じ込み状態に保つことができる。この一方、綴じ込みを解除するときは、綴じ軸３８の位置に円形穴部４８が位置するように操作部３９をスライド操作すれば、各綴じ板３６，３７を開放させることができる。
【００２７】
なお、綴じ具１５の構造も種々のものが採用可能である他、当該綴じ具１５の装着個数も限定されるものではない。
【００２８】
【発明の効果】
以上説明したように、本発明は、綴じ軸の先端部に引っ掛かって各綴じ板の閉塞姿勢を保つ操作部を第２の綴じ板の面内でスライド移動可能に設け、綴じ板の外面と同一若しくは当該外面より落ち込んだ位置に設けられているから、複数の綴じ具を単一の背部材に並べて装着したときに、綴じ具相互間に無用なスペースを設けなくてもよくなり、また、綴じ板と操作部とが擦れて損傷する虞を確実に防止することができる。
【００２９】
また、第２の綴じ板の外面に操作部を収容する凹状の段落ち領域を設けた場合には、簡易な構造により操作部を第２の綴じ板に装着することができ、且つ、操作部の移動ストロークを自動的に決定して当該操作部を安定的に操作することが可能となる。
【００３０】
更に、操作部の外面に表面凹凸となる指当て面部を設け、この指当て面部の凸部先端は第２の綴じ板の外面よりはみ出ない高さに設けたから、操作部を容易且つスムースにスライドさせることができ、且つ、綴じ板の損傷を有効に回避することが可能となる。
【００３１】
また、背部材に設けられた鈎状部に引っ掛かる穴がベース部の略中央と一方の片側に設けれているから、綴じ具の装着向きを常に同じ向きとすることができ、これにより、複数の綴じ具を装着したときに、綴じ具によって上下逆向きとなることを確実に防止することが可能となる。
【図面の簡単な説明】
【図１】実施例に係るファイル用具を内面側から見た要部概略斜視図。
【図２】図１の概略分解斜視図。
【図３】図１のＡ−Ａ線に沿う矢視断面図。
【図４】図１のＢ−Ｂ線に沿う矢視断面図。
【図５】図１のＣ−Ｃ線に沿う矢視断面図。
【図６】背部材から綴じ具を取り外した状態を示す図５と同様の断面図。
【図７】図１の底面図。
【図８】綴じ具の分解斜視図。
【図９】図１の要部拡大斜視図。
【図１０】図１のＤ−Ｄ線に沿う矢視断面図。
【図１１】回転規制手段を解除した状態を示す図１０と同様の断面図。
【図１２】ストッパを解除した状態を示す図９と同様の斜視図。
【図１３】ストッパを解除した他の状態を示す図９と同様の斜視図。
【符号の説明】
１０  ファイル用具
１１  背部材
１５  綴じ具
２７  上側鈎状部
２９  中央鈎状部
３５  ベース部
３６  第１の綴じ板
３７  第２の綴じ板
３８  綴じ軸
３９  操作部
４１  穴
４５  段落ち領域
５０  指当て部
【図１】
0003633443.tif 000002
【図２】
0003633443.tif 000003
【図３】
0003633443.tif 000004
【図４】
0003633443.tif 000005
【図５】
0003633443.tif 000006
【図６】
0003633443.tif 000007
【図７】
0003633443.tif 000008
【図８】
0003633443.tif 000009
【図９】
0003633443.tif 000010
【図１０】
0003633443.tif 000011
【図１１】
0003633443.tif 000012
【図１２】
0003633443.tif 000013
【図１３】
0003633443.tif 000014